(57)【特許請求の範囲】
【請求項１】
二次元的に配列された複数の単位受光素子の集合からなる固体撮像素子上に被写体を結像させて該被写体を表わす画像データを得る写真撮影を行うデジタルカメラであって、設定された感度に応じた露出制御を行なうデジタルカメラにおいて、
感度を設定する感度設定操作子と、
記録画像サイズを設定する画像サイズ設定操作子と、
前記感度設定操作子の操作により所定の高感度に設定されている場合に作用し、前記固体撮像素子を構成する複数の単位受光素子で得られた複数の輝度情報を、隣接する所定数の単位受光素子で得られた所定数の輝度情報ごとに統合して１つの輝度情報とする画素混合により、記録可能な画像サイズを所定の高感度対応画像サイズに下げて該所定の高感度を実現する画素混合部と、
前記画像サイズ設定操作子の操作による記録画像サイズの設定時に設定可能な記録画像サイズを表示する設定画面を有し前記画像サイズ設定操作子の操作に連動させて前記設定画面上の表示を変更し該画像サイズ設定操作子の操作に応じた記録画像サイズを設定する画像サイズ設定部とを備え、
前記画像サイズ設定部は、前記感度設定操作子の操作により前記所定の高感度に設定されている場合に、前記設定画面上に前記高感度対応画像サイズのみ設定可能であることを表わす表示を行なうものであることを特徴とするデジタルカメラ。
【請求項２】
二次元的に配列された複数の単位受光素子の集合からなる固体撮像素子上に被写体を結像させて該被写体を表わす画像データを得る写真撮影を行うデジタルカメラであって、設定された感度に応じた露出制御を行なうデジタルカメラにおいて、
感度を設定する感度設定操作子と、
記録画像サイズを設定する画像サイズ設定操作子と、
前記感度設定操作子の操作により所定の高感度に設定されている場合に作用し、前記固体撮像素子を構成する複数の単位受光素子で得られた複数の輝度情報を、隣接する所定数の単位受光素子で得られた所定数の輝度情報ごとに統合して１つの輝度情報とする画素混合により、記録可能な画像サイズを所定の高感度対応画像サイズに下げて該所定の高感度を実現する画素混合部と、
前記画像サイズ設定操作子の操作による記録画像サイズの設定時に設定可能な記録画像サイズを表示する設定画面を有し前記画像サイズ設定操作子の操作に連動させて前記設定画面上の表示を変更し該画像サイズ設定操作子の操作に応じた記録画像サイズを設定する画像サイズ設定部と、
拡大する範囲の記録可能な画像サイズが前記高感度対応画像サイズよりも大きい場合にのみ動作可能であって該高感度対応画像サイズを拡大の最大限とする電子ズーム機能を実現する電子ズーム演算部とを備え、
前記画像サイズ設定部は、前記感度設定操作子の操作により前記所定の高感度に設定されている場合に、前記設定画面上に電子ズーム機能の使用が不能であることをあらわす表示を行なうものであることを特徴とするデジタルカメラ。
【請求項３】
このデジタルカメラは、プログラム線図が異なる複数の撮影モードのうちのいずれかの撮影モードが選択され選択された撮影モードに応じたプログラム線図に基づく露出制御を行なうものであって、
撮影モードを選択する撮影モード選択操作子を備え、
前記画素混合部は、前記撮影モード選択操作子の操作により所定の高感度対応撮影モードが選択され、かつ前記高感度設定操作子の操作により前記所定の高感度に設定されている場合に作用するものであって、
前記感度設定操作子の操作に応じて感度を設定するとともに、前記撮影モード選択操作子の操作により、それまで選択されていた前記高感度対応撮影モードから別の撮影モードが選択された場合に、感度を所定の初期感度に戻す感度設定部とを備えたことを特徴とする請求項１又は２記載のデジタルカメラ。
【発明の詳細な説明】
【０００１】
【発明の属する技術分野】
本発明は、固体撮像素子上に被写体を結像させて写真撮影を行なうデジタルカメラに関する。
【０００２】
【従来の技術】
最近では、二次元的に配列された複数の単位受光素子の集合からなる固体撮像素子上に被写体を結像させ、この被写体を表わす画像データを得る写真撮影を行うデジタルカメラが、その単位受光素子の小型化および低コスト化と相俟って普及しており、これらデジタルカメラでは、メニュー表示の中でＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）値を選択するなどして設定された感度に応じた露出制御が行なわれている。
【０００３】
これらデジタルカメラには、その感度設定が高感度である場合に、固体撮像素子を構成する複数の単位受光素子で得られた複数の輝度情報を、隣接する所定数の単位受光素子で得られた所定数の輝度情報ごとに統合して１つの輝度情報とする画素混合を行なって高感度を実現することが考えられる。例えば、固体撮像素子が６００万個の単位受光素子で構成されているデジタルカメラ、すなわち記録可能な画像サイズが６メガピクセルであるデジタルカメラにおいて、ＩＳＯ８００相当の高感度撮影が指定されると、４つの単位受光素子が統合されて１つの単位受光素子とみなされ、記録可能な画像サイズは１．５メガピクセルとなる。
【０００４】
【発明が解決しようとする課題】
しかし、多くのユーザにとって、このような、感度設定と、記録可能な画像サイズとの相関関係はなじみの薄いものであるため、記録可能な画像サイズが６メガピクセルであるデジタルカメラを例にとると、画像を３メガピクセルの画像サイズで記録したい場合に高感度設定を行なうと、記録可能な画像サイズが１．５メガピクセルになることから、設定した記録画像サイズ（３メガピクセル）では撮影は行なわれず、結果として、意図した画質よりも粗い画質での写真撮影が行なわれてしまうという問題が起こる。
【０００５】
本発明は、上記事情に鑑み、記録可能な画像サイズの減縮による高感度化に起因する撮影ミスの低減が図られたデジタルカメラを提供することを目的とする。
【０００６】
【課題を解決するための手段】
上記目的を達成するための本発明の第１のデジタルカメラは、
二次元的に配列された複数の単位受光素子の集合からなる固体撮像素子上に被写体を結像させて該被写体を表わす画像データを得る写真撮影を行うデジタルカメラであって、設定された感度に応じた露出制御を行なうデジタルカメラにおいて、
感度を設定する感度設定操作子と、
記録画像サイズを設定する画像サイズ設定操作子と、
上記感度設定操作子の操作により所定の高感度に設定されている場合に作用し、上記固体撮像素子を構成する複数の単位受光素子で得られた複数の輝度情報を、隣接する所定数の単位受光素子で得られた所定数の輝度情報ごとに統合して１つの輝度情報とする画素混合により、記録可能な画像サイズを所定の高感度対応画像サイズに下げて該所定の高感度を実現する画素混合部と、
上記画像サイズ設定操作子の操作による記録画像サイズの設定時に設定可能な記録画像サイズを表示する設定画面を有し上記画像サイズ設定操作子の操作に連動させて上記設定画面上の表示を変更し該画像サイズ設定操作子の操作に応じた記録画像サイズを設定する画像サイズ設定部とを備え、
上記画像サイズ設定部は、上記感度設定操作子の操作により上記所定の高感度に設定されている場合に、上記設定画面上に上記高感度対応画像サイズのみ設定可能であることを表わす表示を行なうものであることを特徴とする。
【０００７】
本発明の第１のデジタルカメラでは、上記構成により、所定の高感度の設定が行なわれると、画素混合によって記録可能な画像サイズが高感度対応画像サイズに縮減されるので、この高感度対応画像サイズを上回る記録画像サイズの設定がされても、実際は、この高感度対応画像サイズでしか画像データの記録は行なわれないため、記録画像サイズの設定が行なわれる設定画面では、高感度対応画像サイズのみが設定可能な記録画像サイズであることを表わす表示が行なわれる。したがって、第１のデジタルカメラによれば、所定の高感度設定に伴う記録画像サイズの限定を、記録画像サイズの設定が行なわれる設定画面において知ることができるため、記録可能な画像サイズの減縮による高感度化に起因する撮影ミスを低減することができる。
【０００８】
上記目的を達成するための本発明の第２のデジタルカメラは、
二次元的に配列された複数の単位受光素子の集合からなる固体撮像素子上に被写体を結像させてこの被写体を表わす画像データを得る写真撮影を行うデジタルカメラであって、設定された感度に応じた露出制御を行なうデジタルカメラにおいて、
感度を設定する感度設定操作子と、
記録画像サイズを設定する画像サイズ設定操作子と、
上記感度設定操作子の操作により所定の高感度に設定されている場合に作用し、上記固体撮像素子を構成する複数の単位受光素子で得られた複数の輝度情報を、隣接する所定数の単位受光素子で得られた所定数の輝度情報ごとに統合して１つの輝度情報とする画素混合により、記録可能な画像サイズを所定の高感度対応画像サイズに下げてこの所定の高感度を実現する画素混合部と、
上記画像サイズ設定操作子の操作による記録画像サイズの設定時に設定可能な記録画像サイズを表示する設定画面を有し上記画像サイズ設定操作子の操作に連動させて上記設定画面上の表示を変更しこの画像サイズ設定操作子の操作に応じた記録画像サイズを設定する画像サイズ設定部と、
拡大する範囲の記録可能な画像サイズが上記高感度対応画像サイズよりも大きい場合にのみ動作可能であって該高感度対応画像サイズを拡大の最大限とする電子ズーム機能を実現する電子ズーム演算部とを備え、
上記画像サイズ設定部は、上記感度設定操作子の操作により上記所定の高感度に設定されている場合に、上記設定画面上に電子ズーム機能の使用が不能であることをあらわす表示を行なうものであることを特徴とする。
【０００９】
本発明の第２のデジタルカメラでは、電子ズーム機能は、画質の悪化の防止のために、固体撮像素子上に設定される拡大範囲によって決定される画像サイズが、高感度対応画像サイズより大きい場合にのみ使用可能となっている。これにより、本発明の第２のデジタルカメラでは、所定の高感度の設定が行なわれると、固体撮像素子上の記録可能な画像サイズと、設定されている記録画像サイズとが、共に高感度対応画像サイズとなり、この電子ズーム機能の使用が不能となるため、電子ズーム機能の使用の不能を表わす表示が行なわれる。したがって、本発明の第２のデジタルカメラによれば、所定の高感度の設定が行なわれると、記録画像サイズの設定が行なわれる設定画面において電子ズームの機能が不能になってしまうことを知ることができるため、記録可能な画像サイズの減縮による高感度化に起因する撮影ミスを低減することができる。
【００１０】
ここで、本発明の第１のデジタルカメラ、あるいは本発明の第２のデジタルカメラは、プログラム線図が異なる複数の撮影モードのうちのいずれかの撮影モードが選択され選択された撮影モードに応じたプログラム線図に基づく露出制御を行なうものであって、
撮影モードを選択する撮影モード選択操作子を備え、
上記画素混合部は、上記撮影モード選択操作子の操作により所定の高感度対応撮影モードが選択され、かつ上記高感度設定操作子の操作により上記所定の高感度に設定されている場合に作用するものであって、
上記感度設定操作子の操作に応じて感度を設定するとともに、上記撮影モード選択操作子の操作により、それまで選択されていた上記高感度対応撮影モードから別の撮影モードが選択された場合に、感度を所定の初期感度に戻す感度設定部とを備えることが好ましい。
【００１１】
このようにすると、高感度対応撮影モードにおいて設定された所定の高感度を、高感度対応撮影モード以外のモードに誤って引きずっていくことが防止されるので、高感度対応撮影モード以外でいつも使用している感度が意図せずに変更されることを防止することができる。
【００１２】
さらに、本発明の第１のデジタルカメラ、あるいは本発明の第２のデジタルカメラの上記感度設定部は、上記高感度対応撮影モードにあるときに上記感度設定操作子の操作により、それまで設定されていた所定の通常感度から上記所定の高感度に感度が変更され、その後、上記撮影モード選択操作子の操作により、それまで選択されていた上記高感度対応撮影モードから別の撮影モードが選択された場合に、感度を上記初期感度に戻すとともに、さらにその後、上記撮影モード選択操作子の操作により、再度、上記高感度対応撮影モードが選択された場合に、感度を上記通常感度に設定するものであることも好ましい態様である。
【００１３】
このようにすると、高感度対応撮影モードにおいて、いつも使用している通常感度がある場合に便利である。
【００１４】
【発明の実施の形態】
以下、本発明の第１および第２のデジタルカメラの共通の実施形態について説明する。
【００１５】
図１は、本実施形態のデジタルカメラ１の正面図（ａ）、左側面図（ｂ）、背面図（ｃ）、上面図（ｄ）である。
【００１６】
図１（ａ）に示す正面図には、カメラ筐体１１、撮影レンズ１３ａを内蔵するレンズ鏡胴１３、ファインダ対物窓１６、フラッシュ受光窓１４、セルフタイマ機能使用時に撮影までの時間に応じて点滅速度が変化するセルフタイマランプ１５、後述する６種類の撮影モードを切り換える撮影モードダイヤル２６が示されている。尚、フラッシュ受光窓１４は、フラッシュ発光時に被写体で反射して戻ってきたフラッシュ光の光量を検出するフラッシュ受光センサにフラッシュ光を導くための窓である。尚、このデジタルカメラ１には、実像式のズームファインダが備えられている。
【００１７】
図１（ｂ）に示す左側面図には、図１（ａ）にも示すレンズ鏡胴１３の他、撮影済みの画像データをプロジェクタなどに出力するための映像出力端子１７、この画像データをパーソナルコンピュータなどに送信するときに使用されるＵｎｉｖｅｒｓａｌ  Ｓｅｒｉａｌ  Ｂｕｓ（ＵＳＢ）ケーブルが接続されるＵＳＢ端子１８、外部電源端子１９、電池蓋１１ａが示されている。
【００１８】
図１（ｃ）に示す背面図には、画像を表示する液晶パネル２０、液晶パネルによる画像表示をオン／オフするための液晶パネル起動ボタン２２、ファインダ接眼窓２５、前述した撮影モードダイヤル２６、バリエーションの選択およびズームを行なう際に操作する十字キー２８、液晶パネル上にメニューを画像表示させたり、その確定に使用されるメニュー／ＯＫスイッチ２７、ポップアップ式のフラッシュ装置をカメラ筐体上面にポップアップさせて使用する際に操作するフラッシュ装置起動ボタン３０、およびメインスイッチ２３が示されている。
【００１９】
また、図１（ｃ）に示す背面図には、このデジタルカメラ１に備えられている‘撮影記録機能’および‘画像データ再生機能’のうちのいずれを選択するかを決定するために操作される機能選択レバー２４も示されており、この機能選択レバー２４を上側にもっていくと‘撮影記録機能’が選択され、この機能選択レバー２４を下側にもっていくと‘画像データ再生機能’が選択される。
【００２０】
図１（ｄ）に示す上面図には、図１（ａ）にも示すレンズ鏡胴１３の他、ポップアップ式のフラッシュ装置３１、およびレリーズボタン２９が示されている。
【００２１】
本実施形態のデジタルカメラ１は、詳しくは後述するが、固体撮像素子としてＣＣＤ（Ｃｈａｒｇｅ  Ｃｏｕｐｕｌｅｄ  Ｄｅｖｉｃｅ）撮像素子を採用する、ズームレンズ内蔵デジタルスチルカメラであり、ズーム機能は、光学ズームと電子ズームを併用している。尚、このデジタルカメラ１では、メインスイッチ２３をオンすると、カメラ前面に備えられると共にレンズを覆っていた図示しないレンズカバーが開かれ、レンズ鏡胴１３が所定の位置まで繰り出される。メインスイッチ２３をオフすると、繰り出されていたレンズ鏡胴１３がカメラ内部に沈胴され、撮影レンズ１３ａはそのレンズカバーによって覆われる。
【００２２】
図２は、本実施形態のデジタルカメラの内部ブロック図である。尚、このデジタルカメラ１には、各種スイッチ類やＵＳＢ端子１８などからの信号を受信するＩ／Ｏポートコントローラ、フラッシュ装置３１、フラッシュ受光センサ、光学ズームやフォーカシングを行なうために駆動されるモータ、モータを制御するモータドライバなどが備えられているが、これらの図示は、本発明と無関係であるので図２では省略されている。
【００２３】
図２には、このデジタルカメラ１全体を制御するＣＰＵ３９、このＣＰＵ３９の指示により、撮像レンズ１３ａを通して被写体を結像するＣｈａｒｇｅ  Ｃｏｕｐｌｅｄ  Ｄｅｖｉｃｅ（ＣＣＤ）撮像素子３４を駆動させることで、ＣＣＤ撮像素子３４から被写体像を表わす画像信号の出力を行なわせるタイミングジェネレータ１２ａ、この出力された画像信号を増幅する増幅器３２、および増幅器３２で増幅された画像信号をデジタル画像データに変換するＡ／Ｄ変換回路３３が示されている。
【００２４】
また、図２には、メモリであるＳＤＲＡＭ３５、このＳＤＲＡＭ３５にデジタル画像データを格納する画像入力コントローラ３６、ＳＤＲＡＭ３５に格納されているデジタル画像データを圧縮可能なように処理する画像信号処理回路３７、圧縮可能なように処理されたデジタル画像データを圧縮する圧縮処理回路３８、ＣＰＵ３９によってファイル形式に変換された圧縮済みのデジタル画像データを記録メディア４０に記録するメディアコントローラ４１、ＳＤＲＡＭ３５から転送された圧縮前のデジタル画像データを格納するＶＲＡＭ４２、ＶＲＡＭ４２に格納されている圧縮前のデジタル画像データに同期信号を付加してビデオ信号を作成するビデオエンコーダ４４、およびビデオエンコーダ４４で作成されたビデオ信号をデジタル信号からアナログ信号に変換して増幅する画像表示制御装置４３も示されている。この画像表示制御装置４３の制御によって液晶パネル２０では画像が表示される。
【００２５】
更に、図２には、ＣＣＤ撮像素子３４から出力される画像信号を基とする画像のコントラストを検出してフォーカシングを行なうＡＦ検出回路４６、ＣＣＤ撮像素子３４から出力される画像信号を基とする画像から輝度情報を検出するＡＥ検出回路４５の他、図１にも示す、機能選択レバー２４、メインスイッチ２３、ズーム操作にも使用する十文字キー２８、レリーズボタン２９、およびモードダイヤル２６も示されている。
【００２６】
モードダイヤル２６は、‘人物撮影’モード、‘マニュアル’モード、‘スポーツ’モード、‘ＡＵＴＯ（オート）’モード、‘風景撮影’モード、‘夜景撮影’モードの計６種類のモードのうちのいずれかを選択する際に操作されるダイヤルであり、このうち、‘マニュアル’モードおよび‘ＡＵＴＯ（オート）’モードでは、設定される感度、あるいはデフォルトの感度に応じて露出制御が行なわれており、‘人物撮影’モード、‘スポーツ’モード、‘風景撮影’モード、‘夜景撮影’モードでは、それぞれ異なるプログラム線図に応じた露出制御が行なわれている。このデジタルカメラ１のズーム機能は、光学ズームと電子ズームとの併用で行なわれており、図１に示す十文字キー２８のうちの‘△’マークが付着されているキーを押下することで望遠（ＴＥＬＥ）側、‘▽’マークが付着されているキーを押下することによって広角（ＷＩＤＥ）側にズームされる。光学ズーム範囲内の所定のズーム位置に現在調整されていると想定した場合に、‘△’マークを押下しつづけると、光学的なズームアップの限界まではレンズ鏡胴の繰り出しなどによるズームアップが行なわれ、光学的なズームアップの限界を過ぎると、次は、そのキーに対する押下のレベルをＣＰＵ３９で検出し、今度は電子的なズームアップが行なわれる。この電子的なズームアップは、この押下のレベルを検出し、ＣＣＤ撮像素子３４上の拡大範囲を演算によって決定するものである。
【００２７】
以下、このデジタルカメラ１の動作について説明する。
【００２８】
このデジタルカメラ１には、‘撮影記録機能’と‘画像データ再生機能’が備えられており、この撮影記録機能のうちの撮影機能については、ＣＣＤ撮像素子３４から出力されるアナログ画像データはＡ／Ｄ変換回路３３により、デジタル画像データに変換されてＳＤＲＡＭ３５に格納され、その後画像信号処理回路３７で処理されたデジタル画像データは、ＶＲＡＭ４２を経由してビデオエンコーダ４４などによって再処理された後、画像として液晶パネル２０に表示される。このようにして、ＣＣＤ撮像素子３１から送られて来る画像が、スルー画像で液晶パネルに表示される。尚、一方の記録機能および‘画像データ再生機能’については、本発明と無関係であるので説明は省略する。
【００２９】
ここで、本実施形態のデジタルカメラ１の、設定可能な記録画像サイズに対する設定可能なＩＳＯ感度を示す表を以下に示す。尚、このデジタルカメラ１の、通常感度における記録可能な画像サイズは、６メガピクセルである。
【００３０】
表１には、設定可能な記録画像サイズである、６メガピクセル（６Ｍ）、３メガピクセル（３Ｍ）、１メガピクセル（１Ｍ）、および０．４メガピクセル（ＶＧＡ規格）それぞれにおいて設定可能なＩＳＯ感度が示されており、高感度であるＩＳＯ８００、１６００については、記録画像サイズの設定が１メガピクセルの場合に限られている様子が示されている。
【００３１】
【表１】
0003831267.tif 000002
【００３２】
これは、本実施形態のデジタルカメラ１では、固体撮像素子を構成する複数の単位受光素子で得られた複数の輝度情報を、隣接する４つの単位受光素子で得られた４つの輝度情報ごとに統合して１つの輝度情報とする画素混合により高感度が実現されているためである。したがって、本来の記録可能な画像サイズである６メガピクセルが４分の１に縮減され、設定されている記録画像サイズが１．５メガピクセルを上回る場合は、１．５メガピクセルでしか撮影が行なわれないためである。尚、本実施形態では、この１．５メガピクセルではなく１メガピクセルを、画素混合の結果の記録可能な画像サイズとしており、この１メガピクセルが、本発明にいう高感度対応画像サイズに相当する。このため、設定されている記録画像サイズが１Ｍである場合は、高感度設定が可能であるとしている。また、本来であれば、記録画像サイズを０．４メガピクセル（ＶＧＡ規格）に設定した場合にも高感度設定が可能となるはずであるが、ここでは設定不能としている。
【００３３】
また、本実施形態のデジタルカメラ１の、設定可能な撮影モードに対して設定可能なＩＳＯ感度を示す表を以下に示す。
【００３４】
表２には、設定可能な撮影モードである、‘オート’モード、‘マニュアル’モード、‘人物’モード、‘スポーツ’モード、‘風景’モード、および‘夜景’モードそれぞれにおいて設定可能なＩＳＯ感度が示されており、‘マニュアル’モードでは、すべてのＩＳＯ感度（１００〜１６００）を選択することができるが、‘マニュアル’モード以外のモードでは、ＩＳＯ感度２００のみが選択可能である様子が示されている。
【００３５】
【表２】
0003831267.tif 000003
【００３６】
図３は、本実施形態のデジタルカメラの、モードダイヤルの状態、および、液晶パネルに表示される画像を示す図である。
【００３７】
図３の上段左端には、モードダイヤルが、‘マニュアル’モードに設定されている様子が示されており、図３の下段左付近には、モードダイアルが、‘オート’モードに設定されている様子が示されている。
【００３８】
図３（ａ）から図３（ｈ）には、液晶パネル２０に表示される画像が、図１に示す、メニュー／ＯＫボタン２７およびモードダイヤル２６の操作によって変化している様子が示されている。
【００３９】
以下、図１に示すメインスイッチ２３を押下して、図１および図２に示す機能選択レバー２４によって‘撮影記録’機能を選択した後、図３の上段左側に示すように、モードダイヤル２６（図１参照）で‘マニュアル’を選択した場合について説明しながら、このデジタルカメラ１の動作について述べる。
【００４０】
まず、モードダイヤル２６で‘マニュアル’モードが選択されていることから、図３（ａ）に示すスルー画像が、液晶パネル２０に表示される。
【００４１】
図３（ａ）の上端右側には、この画像が３メガピクセルの記録画像サイズで記録されていることを示す‘３Ｍ’が表示されると共に、図３（ａ）の上端左側には、‘マニュアル’モードが選択されていることを表わすマークが表示されている。尚、この３メガピクセルは、後述するメニュー‘ピクセルサイズ’のデフォルトとなっている。
【００４２】
ここで、図１に示すメニュー／ＯＫボタン２７を押下すると、液晶パネル２０には、図３（ｂ）に示す画像が表示される。
【００４３】
図３（ｂ）には、この‘マニュアル’モードで選択することのできる複数のメニューが表示されている様子が示されている。ここでは、デフォルトでメニュー‘感度’が選択されており、このことを示すために、図３（ｂ）の中段左側に示す表示‘感度’がライトアップされると共に、図３（ｂ）の上端左側にも‘感度’が表示されている。尚、図３に示される表示‘感度’の右斜め上には、メニュー‘ピクセルサイズ’を選択するための表示‘ピクセルサイズ’が示されており、メニュー‘ピクセルサイズ’では、記録画像サイズの設定が可能となっている。これら以外のメニューについては、本発明とは無関係であるのでメニュー内容の表示および説明は省略するが、これらメニューの選択は、図１に示す十字キー２８を操作して、ライトアップを、所望のメニューを表わす表示上に移動させることによって行ない、決定は、メニュー／ＯＫボタン２７を押下することによって行なわれる。
【００４４】
図３（ｃ）には、デフォルトメニュー‘感度’を図３（ｂ）に示すようにライトアップさせたまま、メニュー／ＯＫボタン２７を押下(決定)し、このデジタルカメラ１において設定可能なＩＳＯ感度（１００、２００、４００、８００、１６００）のうち、ＩＳＯ感度４００が選択された場合の液晶パネル２０における画像表示が示されている。
【００４５】
図３（ｄ）には、ＩＳＯ感度４００を選択したままメニュー／ＯＫボタン２７を押下（決定）し、一旦、図３（ｂ）に示されるメニュー選択画面に戻った後、今度は、メニュー‘ピクセルサイズ’を選択し、メニュー／ＯＫボタン２７を押下した時に液晶パネル２０に表示される画像が示されている。
【００４６】
図３（ｄ）には、３メガピクセル（３Ｍ）が記録画像サイズとして選択されている様子が示されている。尚、選択されている記録画像サイズを表わす表示(ここでは‘３Ｍ’）の右横には、その記録画像サイズでＳＤＲＡＭ３５に記録された画像データが次にいかなるレベルで圧縮処理されて図１に示す記録メディア４０に記録されるかを決定するための‘Ｆ’と‘Ｎ’が表示されている。表示‘Ｆ’は、ＦＩＮＥを、表示‘Ｎ’はＮＯＲＭＡＬを表わしており、圧縮後のデータサイズは、ＮＯＲＭＡＬに比べＦＩＮＥの方が大きく、‘Ｆ’の方を選択すると、データ量は‘Ｎ’を選択した場合に比べ多くなるが圧縮データ伸長時の画像劣化を少なくすることができる。尚，ここでは、デフォルトで表示‘Ｆ’が選択されている。
【００４７】
図３（ｅ）には、高感度であるＩＳＯ感度８００を選択するために、再びメニュー画面に戻ってメニュー‘感度’を選択し、そこで、高感度であるＩＳＯ８００を選択した場合の液晶パネルにおける画像表示が示されている。尚、表示‘８００’および表示‘１６００’の右横の表示‘（１Ｍ）’の意味については後述する。
【００４８】
図３（ｆ）には、図３（ｅ）に示されるＩＳＯ感度８００の選択を決定するためにメニュー／ＯＫボタン２７を押下し、再び、メニュー‘ピクセルサイズ’を選択した時に液晶パネル２０に表示される画像が示されている。
【００４９】
前述したように、このデジタルカメラ１において高感度設定が行なわれると、設定可能な記録画像サイズは１メガピクセルのみとなるので、図３（ｆ）には、そのことを表わす表示‘ＩＳＯ’が表示‘１Ｍ’の左横に示されている。また、表示‘１Ｍ’の右横には‘Ｆ’と‘Ｎ’が表示され、ここでは、デフォルトの表示‘Ｆ’に代わって表示‘Ｎ’が選択されている。
【００５０】
さらに、図３（ｆ）には、メッセージ‘電子ズームＮＧ’が表示されている。
【００５１】
ここで、このデジタルカメラ１の電子ズーム機能について、以下に示す表を用いて説明する。
【００５２】
表３には、このデジタルカメラ１の電子ズーム機能を使用することのできる、選択可能な記録画像サイズとＩＳＯ感度との組み合わせが示されている。
【００５３】
【表３】
0003831267.tif 000004
【００５４】
表３に示されるように、このデジタルカメラ１では、ＩＳＯ感度８００、１６００が選択されると、すべての記録画像サイズにおいて電子ズーム機能は使用不能となり、さらに、ＩＳＯ感度８００未満であっても、６メガピクセルの記録画像サイズが選択されているときには、電子ズーム機能は使用不能となる。
【００５５】
これは、このデジタルカメラ１の電子ズーム機能は、画質の悪化防止のために、固体撮像素子上に設定される拡大する範囲によって決定される画像サイズが、１メガピクセルよりも大きい場合にのみ使用可能となっているためであり、ＩＳＯ感度８００以上が選択された場合には、固体撮像素子上の記録可能な画像サイズは１メガピクセルに縮減されるため、記録画像サイズに６メガピクセル、あるいは３メガピクセルが選択されても、１メガピクセルでしか画像データは記録されない。したがって、高感度設定が行なわれると、記録可能な画像サイズと記録画像サイズとは同じサイズになるため、電子ズーム機能の使用は不能となる。尚、ＩＳＯ感度が８００未満である場合の、選択されている記録画像データが６メガピクセルの場合も、同じ理由で電子ズームの使用が不能となる。また、選択された記録画像データが、０．４メガピクセル（ＶＧＡ規格）である場合については、ＩＳＯ感度が８００以上である場合には、前述したように、記録画像サイズは、１メガピクセルに変更されることから、電子ズーム機能の使用は不能となる。さらに、ＩＳＯ感度が８００未満で、選択されている記録画像データが３メガピクセル、あるいは１メガピクセルである場合には、拡大範囲が、固体撮像素子全体の６メガピクセルから、選択されている記録画像データのピクセルサイズまでの電子ズームが可能となっており、ＩＳＯ感度が８００未満で、選択されている記録画像データが０．４メガピクセルの場合には、固体撮像素子全体の６メガピクセルから１メガピクセルまでの電子ズームが可能となっている。
【００５６】
以下、図３（ｆ）に話を戻して説明を続ける。
【００５７】
つまり、図３（ｆ）に示されるメッセージ‘電子ズームＮＧ’は、図３（ｅ）において選択された高感度設定のために、電子ズーム機能の使用が不能であることを表わしている。
【００５８】
図３（ｇ）には、図３（ｆ）に示される状態においてメニュー／ＯＫボタン２７が押下されたときに液晶パネル２０に表示される画像が示されており、選択されているＩＳＯ感度が高感度であることを表わす表示‘ＩＳＯ’が、現在の記録画像サイズである表示‘１Ｍ’と共に図３（ｇ）の上端中央付近に示されている。また、現在の選択モードである‘マニュアル’モードを表わすマークが、図３（ｇ）の上端左側に表示されている。
【００５９】
ここで、図３の下段左側付近に示すように、モードダイヤル２６が‘ＡＵＴＯ’に設定されると、図３（ｈ）に示されるように、図３（ｇ）で表示されていた表示‘ＩＳＯ’は省かれる。これは、撮影モードが‘マニュアル‘モードから‘ＡＵＴＯ’モードに切り換えられたため、感度が、表２に示すようにデフォルトのＩＳＯ感度２００に設定されたからである。
【００６０】
ここで、再び、モードダイヤルが、‘ＡＵＴＯ’モードから‘マニュアル‘モードに切り換えられると、感度は、‘マニュアル’モードにおいて高感度を設定する直前の感度であるＩＳＯ４００に設定されることとなる。
【００６１】
図４は、‘マニュアル’モードにおけるメニュー‘ピクセルサイズ’が選択された時に起動され、図２に示すＣＰＵによって実行されるルーチンのフローチャートである。
【００６２】
図４に示すルーチン‘画像サイズ表示処理’のステップ１では、現在選択されている感度がＩＳＯ８００以上の高感度か否かが判定される。
【００６３】
ステップＳ１において、高感度設定であると判定されると、ステップＳ２に進み、記録画像サイズが１メガピクセルに限定されていることを表わす‘ＩＳＯ’の表示が行なわれる。その後、ステップＳ４に進み、メニュー‘ピクセルサイズ’が選択されたままであるか否かが判定される。
【００６４】
ステップＳ４において、未だ選択されていると判定されると、ステップＳ１に戻る。ステップＳ４において、選択されていないと判定されると、このルーチンを終了する。
【００６５】
一方、ステップＳ１において、現在選択されている感度が高感度ではないと判定されると、ステップＳ３に進み、‘ＩＳＯ’の表示がない状態で、デフォルトで選択されている記録画像サイズを表わす表示（例えば、‘３Ｍ’）の右横に‘Ｆ’と‘Ｎ’が表示される。その後ステップＳ４に進むが、これ以降の説明は上述の通りであるので省略する。
【００６６】
図５は、モードダイヤル２６を操作することにより撮影モードが切り換えられた時に起動されるルーチン‘モード切換処理’のフローチャートである。
【００６７】
このルーチン‘モード切換処理’のステップＳ１１では、このモード切り換えが、６種類の撮影モードのうちの‘マニュアル’モード以外のモードからマニュアル’モードへのモード切り換えであるか否かが判定される。
【００６８】
ステップＳ１１において、‘マニュアル’モード以外のモードからマニュアル’モードへのモード切り換えではない、すなわち‘マニュアル’モード以外のモードどうしのモード切り換えである、あるいは、‘マニュアル’モードから‘マニュアル’モード以外のモードへの切り換えであると判定されたときは、ステップＳ１３に進み、デフォルトの感度であるＩＳＯ２００（表２参照）が設定される。
【００６９】
ステップＳ１１において、‘マニュアル’モード以外のモードからマニュアル’モードへの切り換えであると判定されると、ステップＳ１２に進み、‘マニュアル’モードにおいて高感度設定する直前の通常感度であるＩＳＯ４００（図３（ｃ）参照）に設定される。
【００７０】
以上説明したように、本実施形態のデジタルカメラ１において、ＩＳＯ８００以上の高感度が設定されていると、記録画像サイズを設定する画面において、設定可能な記録画像サイズが１メガピクセルのみに限定されることを表わすマークが画像表示される。
【００７１】
また、本実施形態のデジタルカメラ１において、ＩＳＯ８００以上の高感度が設定されていると、電子ズームの機能の使用が不能であることを意味するメッセージが、記録画像サイズを設定する画面において表示される。
【００７２】
さらに、本実施形態のデジタルカメラ１において、‘マニュアル’モードから６種類の撮影モードのうちの‘マニュアル’モード以外のモードへのモード切り換えが行なわれたときは、感度は、常にＩＳＯ２００に設定される。
【００７３】
また、本実施形態のデジタルカメラ１では、感度ＩＳＯ４００が設定されていた‘マニュアル’モードにおいて、ＩＳＯ８００以上の高感度が設定しなおされ、その後、‘マニュアル’モード以外のモードが選択されると、感度はＩＳＯ２００に設定される。その後、再び、‘マニュアル’モードが選択されると、‘マニュアル’モードにおける高感度設定の直前の通常感度であるＩＳＯ４００が設定される。
【００７４】
これにより、本実施形態のデジタルカメラ１では、高感度設定による、記録画像サイズの限定、電子ズーム機能の使用不能などを撮影前に知ることができ、さらには、撮影モード間の設定感度値の引きずりなども防止されている。
【００７５】
【発明の効果】
以上説明したように、本発明のデジタルカメラによれば、記録可能な画像サイズの減縮による高感度化に起因する撮影ミスを低減することができる。
【図面の簡単な説明】
【図１】本実施形態のデジタルカメラ１の正面図（ａ）、左側面図（ｂ）、背面図（ｃ）、上面図（ｄ）である。
【図２】本実施形態のデジタルカメラの内部ブロック図である。
【図３】本実施形態のデジタルカメラの、モードダイヤルの状態、および、液晶パネルに表示される画像を示す図である。
【図４】‘マニュアル’モードにおけるメニュー‘ピクセルサイズ’が選択された時に起動され、図２に示すＣＰＵによって実行されるルーチンのフローチャートである。
【図５】モードダイヤルが操作することにより撮影モードが切り換えられた時に起動されるルーチン‘モード切換処理’のフローチャートである。
【符号の説明】
１  デジタルカメラ
１１  カメラ筐体
１１ａ  電池蓋
１３  レンズ鏡胴
１３ａ  撮影レンズ
１４  フラッシュ受光窓
１５  セルフタイマランプ
１６  ファインダ対物窓
１７  映像出力端子
１８  ＵＳＢ端子
１９  外部電源端子
２０  液晶パネル
２２  液晶パネル起動スイッチ
２３  メインスイッチ
２４  機能選択レバー
２５  ファインダ接眼窓
２６  撮影モードダイヤル
２７  メニュー／ＯＫスイッチ
２８  十字キー
２９  レリーズボタン
３０  フラッシュ装置起動ボタン
３１  フラッシュ装置
３２  増幅器
３３  Ａ／Ｄ変換回路
３４  ＣＣＤ撮像素子
３５  ＳＤＲＡＭ
３６  画像入力コントローラ
３７  画像信号処理回路
３８  圧縮処理回路
３９  ＣＰＵ
４０  記録メディア
４１  メディアコントローラ
４２  ＶＲＡＭ
４３  画像表示制御装置
４４  ビデオエンコーダ
４５  ＡＥ検出回路
４６  ＡＦ検出回路
【図１】
0003831267.tif 000005
【図２】
0003831267.tif 000006
【図３】
0003831267.tif 000007
【図４】
0003831267.tif 000008
【図５】
0003831267.tif 000009